【手続補正書】
【提出日】令和3年1月28日(2021.1.28)
【手続補正１】
【補正対象書類名】特許請求の範囲
【補正対象項目名】全文
【補正方法】変更
【補正の内容】
【特許請求の範囲】
【請求項１】
エアロゾル噴霧システム（３０）の動作を制御するための制御デバイス（２０）であり、前記エアロゾル噴霧システム（３０）が、液体を噴霧するエアロゾル発生器（３１）と、複数のセンサユニット（３８ａ、３８ｂ、３８ｃ、３８ｄ、３８ｅ）とを備える、制御デバイス（２０）であって、
前記エアロゾル噴霧システム（３０）とのワイヤレス通信接続を確立し、前記エアロゾル噴霧システム（３０）とのデータ伝送を実行するように構成された通信ユニット（２１）と、
前記制御デバイス（２０）にワイヤレス伝送される前記センサユニット（３８ａ、３８ｂ、３８ｃ、３８ｄ、３８ｅ）に関係するセンサデータの選択をトリガするように構成されたセンサデータ制御ユニット（２２）と、を備える、制御デバイス（２０）。
【請求項２】
前記選択されたセンサデータが、前記制御デバイスにおいて実時間フィードバックを提供するために必要とされているものである、請求項１に記載の制御デバイス（２０）。
【請求項３】
前記センサデータ制御ユニット（２２）が、前記センサユニットのうちの１つまたは複数の動作モードを制御するようにさらに構成される、請求項１および２のいずれか１項に記載の制御デバイス（２０）。
【請求項４】
前記動作モードが、電力モード切換えを含む、請求項３に記載の制御デバイス（２０）。
【請求項５】
前記動作モードが、データモード切換えを含む、請求項３および４のいずれか１項に記載の制御デバイス（２０）。
【請求項６】
前記エアロゾル噴霧システム（３０）の前記センサユニットが、
エアロゾルセンサユニット、
動作状態センサユニット、
呼吸動作センサユニット、
環境条件センサユニット、
ユーザ認識センサユニット、
エアロゾル発生器識別センサユニット、
薬剤識別センサユニット、
薬剤充填レベルセンサユニット、および
エアロゾル噴霧器バッテリセンサユニット
のうちの少なくとも２つを含む、請求項１から５のいずれか１項に記載の制御デバイス（２０）。
【請求項７】
前記制御デバイス（２０）が、肺活量計システム（５０）および／または呼吸ガス分析システム（６０）を制御するようにさらに構成され、
前記肺活量計システム（５０）および／または前記呼吸ガス分析システム（６０）が、複数の追加のセンサユニットを含み、
前記通信ユニット（２１）が、前記肺活量計システム（５０）および／または前記呼吸ガス分析システム（６０）とのワイヤレス通信接続を確立し、前記肺活量計システム（５０）およびまたは前記呼吸ガス分析システム（６０）とのデータ伝送を実行するようにさらに構成され、
前記センサデータ制御ユニット（２２）が、前記制御デバイス（２０）にワイヤレス伝送される前記追加のセンサユニットの追加のセンサデータの選択をトリガするようにさらに構成される、請求項１から６のいずれか１項に記載の制御デバイス（２０）。
【請求項８】
前記センサデータ制御ユニット（２２）が、前記追加のセンサユニットのうちの１つまたは複数の動作モードを選択するようにさらに構成される、請求項７に記載の制御デバイス（２０）。
【請求項９】
前記追加のセンサユニットが、
肺診断センサユニット、
呼吸ガスセンサユニット、
バッテリセンサユニット、
温度センサユニット、および
ユーザ認識センサユニット
のうちの少なくとも２つを含む、請求項７および８のいずれか１項に記載の制御デバイス（２０）。
【請求項１０】
ユーザが、前記エアロゾル噴霧システム（３０）、および／または前記肺活量計システム（５０）、および／または前記呼吸ガス分析システム（６０）を、所定の治療および診断プロトコルに従って使用しているかどうかを判定するように構成された評価ユニット（２３）をさらに備える、請求項１から９のいずれか１項に記載の制御デバイス（２０）。
【請求項１１】
前記評価ユニット（２３）が、前記センサユニットの前記センサデータ、および／または前記追加のセンサユニットの前記追加のセンサデータを使用して、前記所定の治療および／または診断プロトコルへの準拠度を決定するように構成され、特に、
実際の処置および／または治療の間隔を前記所定の治療および診断プロトコルと比較すること、
実際の処置の持続時間を前記所定の治療プロトコルと比較すること、
前記ユーザの実際の吸息／呼息パターンを前記所定の治療および診断プロトコルによって規定される吸息／呼息パターンと比較すること、
実際のエアロゾル送達投与量、および／または前記ユーザの肺内の沈着量を決定すること、
環境要因を決定すること、ならびに／あるいは
前記ユーザの差し迫った悪化を予測すること、
のうちの１つまたは複数を行うように構成される、請求項１０に記載の制御デバイス（２０）。
【請求項１２】
前記評価ユニット（２３）が、ユーザ認識ユニットに動作可能に接続される、請求項１０および１１のいずれか１項に記載の制御デバイス（２０）。
【請求項１３】
前記評価ユニット（２３）が、前記センサユニットの前記センサデータ、および／または前記追加のセンサユニットの前記追加のセンサデータの評価に基づいて緊急呼び出しまたは警報機能を生成するようにさらに構成される、請求項１０から１２のいずれか１項に記載の制御デバイス（２０）。
【請求項１４】
前記評価ユニット（２３）が、前記ユーザが前記所定の治療および診断プロトコルから所定のしきい値を超えて逸脱したときに表示を提供するようにさらに構成される、請求項１０から１３のいずれか１項に記載の制御デバイス（２０）。
【請求項１５】
前記評価ユニット（２３）が、前記エアロゾル噴霧システム（３０）、および／または前記肺活量計システム（５０）、および／または前記呼吸ガス分析システム（６０）の使用の使用法誤りを決定するようにさらに構成される、請求項１０から１４のいずれか１項に記載の制御デバイス（２０）。
【請求項１６】
前記評価ユニット（２３）が、前記エアロゾル噴霧システム（３０）、および／または前記肺活量計システム（５０）、および／または前記呼吸ガス分析システム（６０）のエラー状態を決定するようにさらに構成される、請求項１０から１５のいずれか１項に記載の制御デバイス（２０）。
【請求項１７】
前記評価ユニット（２３）が、前記エアロゾル噴霧システム（３０）の一部、および／または前記肺活量計システム（５０）の一部、および／または前記呼吸ガス分析システム（６０）の一部が保守または交換を必要としているかどうかを判定するようにさらに構成される、請求項１０から１６のいずれか１項に記載の制御デバイス（２０）。
【請求項１８】
前記評価ユニット（２３）が、使用法誤り、エラー状態を決定したとき、ならびに／あるいは前記エアロゾル噴霧システム（３０）の一部、および／または前記肺活量計システム（５０）の一部、および／または前記呼吸ガス分析システム（６０）の一部が保守または交換を必要としているときに、通知メッセージを伝送するようにさらに構成される、請求項１５から１７のいずれか１項に記載の制御デバイス（２０）。
【請求項１９】
前記制御デバイスが、前記エアロゾル噴霧システム（３０）、および／または前記肺活量計システム（５０）、および／または前記呼吸ガス分析システム（６０）の設定データをさらに適応させる、特に、
視覚的表示、音響表示、および／または触覚表示に使用されるしきい値および／またはパラメータをユーザ固有に適応させる、請求項１から１８のいずれか１項に記載の制御デバイス（２０）。
【請求項２０】
前記ワイヤレス通信接続が、Ｂｌｕｅｔｏｏｔｈ（登録商標）接続、Ｂｌｕｅｔｏｏｔｈ（登録商標）  Ｌｏｗ  Ｅｎｅｒｇｙ接続、近距離場接続、ＷｉＦｉまたはＷＬＡＮ接続、赤外線接続、あるいは無線接続のうちの１つである、請求項１から１９のいずれか１項に記載の制御デバイス（２０）。
【請求項２１】
前記制御デバイス（２０）が、スマートフォン、タブレット、あるいはその他の携帯型またはウェアラブルデバイスのうちの１つである、請求項１から２０のいずれか１項に記載の制御デバイス（２０）。
【請求項２２】
エアロゾル噴霧システム（３０）の処理ユニット（３２）が、前記制御デバイスに伝送されるデータ量を削減するためのデータフィルタリングおよび／またはデータ論理を含む、請求項１から２１のいずれか１項に記載の制御デバイス（２０）。
【請求項２３】
前記エアロゾル発生システム（３０）が、
前記エアロゾル発生器がその中にエアロゾルを放出する混合チャンバ（３４）と、
吸息弁（７０）と、
呼息弁（７３）と、をさらに備える、請求項１から２２のいずれか１項に記載の制御デバイス（２０）。
【請求項２４】
前記エアロゾル発生システム（３０）が、
前記エアロゾル発生器がその中にエアロゾルを放出する混合チャンバ（３４）と、
吸息相中に開いて周囲空気が前記混合チャンバ（３４）に流入することを可能にし、呼息相中に閉じてエアロゾルが前記混合チャンバ（３４）から逃げることを防止する、吸息弁（７０）と、
前記呼息相中に開いて患者の呼気を周囲に排出することを可能にし、前記吸息相中に閉じて周囲空気の流入を防止する、呼息弁（７３）と、をさらに備える、請求項１から２２のいずれか１項に記載の制御デバイス（２０）。
【請求項２５】
コンピュータの少なくとも１つのプロセッサで実行されたときに前記少なくとも１つのプロセッサを請求項１から２４のいずれか１項に記載の制御デバイスとして機能させる命令を含む、コンピュータプログラム。
【請求項２６】
請求項２５に記載のコンピュータプログラムを格納しているコンピュータ可読ストレージ媒体。